(57)【特許請求の範囲】
【請求項１】
ヒゲゼンマイ（１）の終末曲線（８）と協働することを意図されており、テンプ（４）のテン真（２）にその内端が固定されており、前記テン真（２）がテンプ受け（６）内で回動する、ヒゲゼンマイを組み立ておよび調整するための装置（１２）であって、前記装置は、
実質的に円筒状で、終末曲線（８）の半径に実質的に等しい半径を有する支持面（４０）と、支持面（４０）に隣接する支持板（４２）とを備え、前記支持面（４０）および支持板（４２）は終末曲線（８）の常用位置を画定する、調整可能な角度方向でテンプ受け（６）に組み付けられることを意図されたベース（１４）と、
前記ベース（１４）から延在し、終末曲線（８）を係止し、終末曲線（８）の支持面（４０）への当接を維持する係止部材（５２）を支持する第１のアーム（２０）とを含み、さらに、
前記ベース（１４）から延在し、終末曲線（８）と協働するように前記支持面（４０）から所定の距離に配置可能にシュー（７８）を支持する第２のアーム（２２）と、
第１の構成と第２の構成との間で移動可能であり、第２のアーム（２２）に作用し、当該第２のアーム（２２）を弾性的に変形させてシュー（７８）を前記ベース（１４）に対して移動させることができるように配置された制御部材であって、前記制御部材の第１および第２の構成はそれぞれ、前記支持面（４０）からの距離が所定の距離に等しい位置に前記シュー（７８）が置かれた第２のアーム（２２）の第１の位置、および、前記支持面（４０）からの距離が所定の距離よりも大きい位置にシュー（７８）が置かれた第２のアーム（２２）の第２の位置に関連付けられる制御部材とを含むことを特長とする装置。
【請求項２】
前記制御部材の前記第１および第２の構成は、安定した構成である、請求項１に記載の装置。
【請求項３】
前記制御部材は、ユーザによる動作に反応して回動し、第１および第２の構成の一方から他方の構成に移行して前記ベース（１４）に圧力をかけることができ、第２の構成において、前記支持面（４０）からの距離が所定の距離よりも大きくなる位置に前記シュー（７８）が置かれるように、前記第２のアーム（２２）上に配置された偏心器（８４）を備える、請求項１または２に記載の装置（１２）。
【請求項４】
前記制御部材は、ユーザによる動作に反応して回動し、第１および第２の構成の一方から他方の構成に移行して前記第２のアーム（２２）に圧力をかけることができ、第２の構成において、前記支持面（４０）からの距離が所定の距離よりも大きくなる位置に前記シュー（７８）が置かれるように、前記ベース（１４）上に配置された偏心器（８４）を備える、請求項１または２に記載の装置（１２）。
【請求項５】
前記第２のアーム（２２）は、前記ベース（１４）から自由端に向けて、屈曲部分（３０）で終端する第１の実質的半径方向部分（２６）と、前記屈曲部分（３０）により第１の部分（２６）に接続された第２の実質的接線部分（３４）とを含み、前記第１の部分（２６）、前記第２の部分（３４）および前記屈曲部分（３０）は、前記制御部材の構成の変化に反応して前記第２のアーム（２２）が受ける弾性変形が前記第１の部分（２６）で本質的に生ずるように配置される、請求項１〜４のいずれか１項に記載の装置（１２）。
【請求項６】
前記シュー（７８）は、前記第２のアーム（２２）の前記第１の位置において前記ベース（１４）に当接して配置される、請求項１〜５のいずれか１項に記載の装置（１２）。
【請求項７】
前記第１のアーム（２０）は、前記ベース（１４）から自由端に向かって、屈曲部（２８）で終端する第１の実質的半径方向部分（２４）と、前記屈曲部（２８）により第１の部分（２４）に接続された第２の実質的接線方向部分（３２）と含み、前記第１の部分（２４）、前記第２の部分（３２）および前記屈曲部分（２８）は、前記第１のアーム（２０）が、本質的に第１の部分（２４）で弾性変形を生ずることができるように配置される、請求項１〜６のいずれか１項に記載の装置（１２）。
【請求項８】
前記係止部材（５２）は、ユーザによる適当な動作に反応して回動し、その回転方向に基づいて終末曲線（８）を一方向または他方向に平行移動するように前記第１のアーム（２０）に配置されたローレットローラを含む、請求項１〜７のいずれか１項に記載の装置（１２）。
【請求項９】
前記ローレットローラは、その常用位置において終末曲線（８）に当接して配置されるように意図された、合成材料製の実質的に円筒形の部分（５４）を含む、請求項８に記載の装置（１２）。
【請求項１０】
請求項１〜９のいずれか１項に記載のヒゲゼンマイを組み立ておよび調整するための装置（１２）を備える時計仕掛けの機構部分。
【請求項１１】
請求項１０に記載の時計仕掛けの機構部分を含む時計。
【発明の詳細な説明】
【技術分野】
【０００１】
本発明は、ヒゲゼンマイの終末曲線と協働することを意図されており、テンプのテン真に内端が固定されており、後者がテンプ受け内で回動する、ヒゲゼンマイを組み立ておよび調整するための装置に関する。
【０００２】
より具体的には、本発明は、実質的に円筒状で、終末曲線の半径に実質的に等しい半径を有する支持面と、支持面に隣接する支持板とを備え、支持面および支持板は終末曲線の常用位置を画定する、調整可能な角度方向でテンプ受けに組み付けられることを意図されたベースと、ベースから延在し、終末曲線を係止し、終末曲線の支持面への当接を維持する係止部材を支持する第１のアームとを含む装置に関する。
【背景技術】
【０００３】
現在の組み立ておよび調整機構では、終末曲線の外端は、テンプ受けに固着されたヒゲ持ちホルダに固定されたヒゲ持ちにより固定化される。ヒゲ持ちホルダに対して回転可能な緩急針が、終末曲線の有効長さを調整するために設けられている。一般的に、緩急針は２つのアームを有することができる。第１のアームは、それらの間では終末曲線が自由である２つのピンを支持し、第２の任意選択のアームは、緩急針をテンプの軸の周りで回動させるレバーとして機能する。緩急針が回動すると、コイルの有効長さは減少または増加する。
【０００４】
終末曲線を組み立ておよび調整するための他の種類の装置は、特に、ヒゲゼンマイの組み立てを簡素化し、その有効長を調節する目的で設計されている。国際特許出願公開第２００６／１０２９１１Ａ１号は、この一例を記載している。この文献に記載された装置は、摩擦によりテンプ受けに取り付けられ、時計を振動させる単一のアームを有する。アームは、ヒゲゼンマイの終末曲線の常用位置を画定する円周溝を備え、その底部において、ヒゲゼンマイに当接して配置された外周部上の線条回転部材により支承され続ける。したがって、この文献によれば、線条回転部材は、ヒゲゼンマイの有効長さを規定するが、アームによって２つのピンが線条回転部材のいずれかの側で円周溝の近傍に支持され、終末曲線の案内を行う。
【０００５】
この装置の一つ主な欠点は、ヒゲゼンマイの終末曲線と協働する部材の構造に由来する。実際、ヒゲゼンマイは非常に壊れやすく繊細であり、その測時特性は、発生する可能性のある機械的応力の後に、非常に迅速に悪化する。従来技術のこの装置の場合には、ヒゲゼンマイが受ける可能性のある機械的応力が、線条回転部材との協働によって、その品質を劣化させる著しい危険性を示す。特に、回転部材は、ヒゲゼンマイに一定の圧力を加え、その駆動を保証する必要があるが、これがヒゲゼンマイの損傷を引き起こす。さらに、ヒゲゼンマイは、ガイドピンとの協働を通じてさらなる損傷を受ける可能性がある。典型的には、この種のピンは、アームに組み立てられた後に、円周溝の底部からの離間距離を正確に調整するために手作業を必要とする。したがって、ピンの周囲は、ヒゲゼンマイの側面に正確に平行でないことが多く、これによって動作中の摩擦が生じ、長期的には測時精度の損失につながり得る。最後に、かかる装置へのヒゲゼンマイの取り付けは、この配置作業中の操作が複雑であるので、損傷の危険性が既に高い。
【先行技術文献】
【特許文献】
【０００６】
【特許文献１】国際特許出願公開第２００６／１０２９１１Ａ１号
【発明の概要】
【０００７】
本発明の一つの目的は、ヒゲゼンマイに損傷を引き起こす可能性のある機械的応力のない、ヒゲゼンマイの簡素化した組み立ておよび調整を実行することを可能にするような装置を提案することにより、ヒゲゼンマイを組み立ておよび調整するための既知の装置の欠点を相殺することにある。
【０００８】
この目的のため、本発明は、
ベースから延在し、終末曲線と協働するように支持面から所定の距離に配置可能にシュー（ｓａｂｏｔ）を支持する第２のアームと、
第１の構成と第２の構成との間で移動可能であり、第２のアームに作用し、それを弾性的に変形させてシューをベースに対して移動させることができるように配置された制御部材であって、制御部材の第１および第２の構成はそれぞれ、支持面からの距離が所定の距離に等しい位置にシューが置かれた第２のアームの第１の位置、および、支持面からの距離が所定の距離よりも大きい位置にシューが置かれた第２のアームの第２の位置に関連付けられる制御部材とをさらに含む、上記した種類の組み立ておよび調整装置に関する。
【０００９】
好ましい一実施形態によれば、制御部材の第１および第２の構成は、安定した構成である。
【００１０】
これらの特徴により、ヒゲゼンマイを所定の位置に据え付ける際、または、時計技術者がそれを調整する際に、ヒゲゼンマイの有効長を規定するシューを装置のベースから分離し、その後にその常用位置に正確に戻すことができる。
【００１１】
好ましくは、制御部材は、ユーザによる動作に反応して回動し、一方の構成から他方の構成に移行してベースに圧力をかけることができ、第２の構成において、支持面からの距離が所定の距離よりも大きくなる位置にシューが置かれるように、第２のアーム上に配置された偏心器を備える。
【００１２】
あるいは、制御部材は、ユーザによる動作に反応して回動し、一方の構成から他方の構成に移行して第２のアームに圧力をかけることができ、第２の構成において、支持面からの距離が所定の距離よりも大きくなる位置にシューが置かれるように、ベース上に配置された偏心器を備える。
【００１３】
また、第２のアームは、ベースから自由端に向けて、屈曲部分で終端する第１の実質的半径方向部分と、屈曲部分により第１の部分に接続された第２の実質的接線部分とを含むことができ、第１の部分、第２の部分および屈曲部分は、制御部材の構成の変化に反応して第２のアームが受ける弾性変形が第１の部分で本質的に生ずるように配置されると有利である。
【００１４】
同様に、第１のアームは、ベースから自由端に向かって、屈曲部で終端する第１の実質的半径方向部分と、屈曲部により第１の部分に接続された第２の実質的接線方向部分と含むことができ、第１の部分、第２の部分および屈曲部分は、第１のアームが、本質的に第１の部分で弾性変形を生ずることができるように配置されると有利である。
【００１５】
かかる構成により、ヒゲゼンマイを損傷する危険性のない係止部材を用いることができる。実際には、係止部材は弾性アームによっても支持されているので、ヒゲゼンマイに加わる圧力を微調整することができ、ヒゲゼンマイの完全性は、衝撃が起きた場合にも損なわれることはない。
【００１６】
好ましい一変形例によれば、係止部材は、ユーザによる適当な動作に反応して回動し、その回転方向に基づいて終末曲線を一方向または他方向に平行移動するように第１のアームに配置されたローレットローラを含む。
【００１７】
ローレットローラは、常用位置で終末曲線に当接して配置されるように意図された、合成材料製の実質的に円筒形の部分を含むと有利である。
【００１８】
一般的には、支持面からの所定の距離に非常に高い精度で位置することができるように、シューを支持する第２のアームの第１の位置において、シューが装置のベースに当接して配置されていると有利である。
【００１９】
また、本発明は、上述の特徴に応じてヒゲゼンマイを組み立ておよび調整するための装置を備えた時計仕掛けの機構部分、ならびにかかる時計仕掛けの機構部分を含む時計に関する。
【図面の簡単な説明】
【００２０】
【図１】本発明の好ましい一実施形態に係るヒゲゼンマイを組み立ておよび調整するための装置が設けられたヒゲゼンマイ付テンプの第１の側面に係る簡略化した正面図である。
【図２】本発明の好ましい一実施形態に係るヒゲゼンマイを組み立ておよび調整するための装置が設けられたヒゲゼンマイ付テンプの第２の側面に係る簡略化した正面図である。
【図３】図１および図２の好ましい実施形態に係る装置の構造の詳細を示す分解斜視図である。
【図４】図１および図２の好ましい実施形態に係る装置の、図１の線ＩＶ−ＩＶにおける概略断面図を示す。
【図５】図１および図２の好ましい実施形態に係る装置の第１の構成における、図１と同様の簡略化した正面図である。
【図６】図１および図２の好ましい実施形態に係る装置の第２の構成における、図１と同様の簡略化した正面図である。
【発明を実施するための形態】
【００２１】
本発明の他の特徴および利点は、非限定的な例として提供された添付の図面を参照しつつ、以下の詳細な説明を介してより明確に示される。図１および図２は、第１および第２の各側面に沿った、本発明の好ましい一実施形態に係るヒゲゼンマイの組み立ておよび調整をするための装置を備えたヒゲゼンマイ付テンプの概略正面図を示す。典型的には、図１は、直接アクセス可能な、例えば、裏側である時計仕掛け機構面に相当し、図２は、文字盤側のヒゲゼンマイ付テンプを示す。
【００２２】
従来、ヒゲゼンマイ１は、その内端部（図示せず）によってテンプ４のテン真２に固定されている。テン真２は、従来、テンプ受け６に装着され回動する一端を有する。
【００２３】
ヒゲゼンマイ１は、その外端部１０に通じる終端曲線８を有する。
【００２４】
終末曲線８は、ヒゲゼンマイの組み立ておよび調整をするための装置１２と協働する。
【００２５】
装置１２は、調整可能な角度方向でテンプ受け６に取り付けられたベース１４を含む。この目的のために、ここでは、非限定的な例示として、テンプ受け６にねじ込まれた２本のねじ１６を示しており、それぞれのねじは、ベース１４に設けられた楕円形の開口部１８を横断する。したがって、ねじ１６を若干緩めて、テンプ受け６に対する装置１２の角度調整を可能とする。ねじ１６が締められると、装置１２の角度方向が固定される。以下の説明から明らかになるように、かかる調整は、公知の方法で、ヒゲゼンマイ付テンプが振動するのを可能にする。
【００２６】
以下の図面の詳細な説明から明らかになるように、装置１２は、第１のアーム２０および第２のアーム２２をさらに含み、各アームは、終末曲線８をそれぞれ係止および案内する部材を支持する。
【００２７】
各アーム２０または２２は、ベース１４から実質的に半径方向に延在し、屈曲部で終端する第１の部分２４または２６を有し、屈曲部は実質的に接線方向の第２の部分３２または３４への接続を提供する。図面は、第１の部分２４、２６に本質的に生じる弾性変形をアームが受けることができるように、アーム２０、２２、第１および第２の部分、ならびに屈曲部のそれぞれが配置されることを示している。
【００２８】
図３および図４は、図１および図２に示すような本発明の好ましい一実施形態に係る装置１２の構成の詳細を示す。
【００２９】
より具体的には、図３は、図１および図２の実施形態に係る装置１２の組み立ておよび調整を部分的に説明する分解斜視図である。図３において、第１および第２のアーム２０、２２は、明確性向上のために切断されている。
【００３０】
図３は、ベース１４が、実質的に円筒状で、終末曲線８の半径に実質的に等しい半径を有する支持面４０と、支持面４０に隣接する支持板４２とを有することを示している。また、リム４４が、支持板４２に対向してベース１４上に部分的に配置されていると好ましいが、これは任意選択である。支持面４０および支持板４２は、終末曲線８の常用位置を画定しており、その常用位置における終末曲線８の軸方向の保守は、リム４４によって改善されている。
【００３１】
支持板４２およびリム４４は、互いに対向して配置されており、後述する機能を有する
中空部４６および４８を有することに留意されたい。
【００３２】
また、ベース１４は、実質的に円筒部分の形状であり、後述する機能を有する凹部５０を有する。
【００３３】
上記のように、第１のアーム２０は、図３の分解図に示すように、係止部材５２を支持している。特に、ここでの係止部材５２は、非限定的な例示であり、略円筒形状を有し、本質的に合成材料、好ましくはエラストマーから構成される第１の部分５４と、第１の部分５４を支持する役割を果たし、第１の部分と実質的に同じ直径を有する第２の部分５６を備える。第２の部分５６は、ここでは実質的に円盤形状の第３の部分５８で終端し、続いて、第３の部分の上にはねじ頭の形状の第４の部分６０が存在する。
【００３４】
有利には、第２、第３および第４の部分は、金属または従来の金属合金から一体に成形されており、一方、第１の部分は、他の部分にエラストマーを外部被覆することにより得ることができる。特に、第１の部分と第２の部分との間の接合部を小円鋸歯にして、後述するように、係止部材が回動した際の相互の保持を向上させることができる。
【００３５】
組立板６２は、係止部材５２を第１のアーム２０の第２の部分３２に組み立てるために設けられる。
【００３６】
第１のアーム２０に係止部材５２を組み立てる組立形態をより具体的に図３に示し、図１の線ＩＶ−ＩＶに沿った断面図を図４に示す。第１および第２のアーム２０、２２は、明確化のために、これらの図では一部のみが示されている。
【００３７】
組立板６２は、係止部材５２の第２の部分５６が配置された中心孔６４を備えており、特に図１に示すように、第４の部分６０が、アクセス可能に第１アーム２０の適当な孔６６内に収容される。次いで、係止部材５２の第３の部分５８は、第１のアーム２０と組立板６２との間の係止部材５２の遮断を確実にするために、第１アーム２０の適当な中空部６８内に収容されている。組み立てが完了すると、第１の部分５４は、その常用位置に確実に維持されるために、中空部４６、４８において、ヒゲゼンマイ１の終末曲線８に当接して配置される。
【００３８】
図３はさらに、係止部材５２の回転案内機能を果たすように、中心孔６４の両側に配置され、各々が湾曲した面を有する２つの支柱７０を組立板６２が含むことも示している。
【００３９】
図３に示すように、第２のアーム２２は、終末曲線８のための案内部材７２を支持している。
【００４０】
案内部材７２は、２本のねじ（図２の参照番号７６）と協働して、第２アーム２２の第２の部分３４への組み立てを確実にすることを意図されている２つの孔７４を含む板状である。
【００４１】
また、案内部材７２はシュー７８を有し、シュー７８は、ヒゲゼンマイ１の終末曲線８と協働して、それの常用位置への案内を確実にすること、または、ヒゲゼンマイ１の有効長さを規定することさえも意図している。
【００４２】
最後に、案内部材７２は、偏心器８４の脚部８２を収容することを意図した孔８０を有する。偏心器８４は、実質的に円盤状の板部を備え、板部の２つの対向部は切り取られており、その上にはねじ頭８８が存在する。案内部材７２への偏心器８４の組み立て、および、第２のアーム２２への案内部材７２の組み立てが完了すると、板部８６をベース１４の凹部５０に対向させて配置する。
【００４３】
図１と同様であるが簡略化した図である図５および６を参照しつつ、装置１２の動作への偏心器８４の回転の影響を説明する。
【００４４】
図５は、ヒゲゼンマイ付テンプの現在の動作に対応する第１の構成にある装置１２を示し、図６は、第２の、組み立てまたは調整構成にある装置１２を示す。
【００４５】
偏心器８４は、２つの機能位置、すなわち、ベース１４と接触して位置していない第１の位置（図５）と、板部８６が凹部５０の底部に当接し、その脚部８２、したがって、第２のアーム２２の第２の部分３４をベース１４から分離する第２の位置（図６）との間で回動可能である。
【００４６】
前述の説明は、偏心器８４は、制御部材として機能し、第１構成と第２構成の間を交互に可動であり、その脚部８２を介して第２のアーム２２に作用し、図５に示すような第１の構成から、図６に示す第２の構成に移行する際に、第２のアームを弾性的に変形させることができることを示している。実際、半径の小さい切取り部から半径の大きい充実部への移行による、装置のベース１４上の板部８６の動作は、第２のアーム２２の変形により、ベース４４に対する偏心器８４の分離を生じさせる。
【００４７】
したがって、偏心器８４の第１および第２の構成は、支持面４０からの距離が終末曲線８と協働するよう構成により予め決められた距離にシュー７８が置かれた第２のアーム２２の第１の位置と、支持面４０からの距離が所定の距離よりも大きく、もはや終末曲線８と協働しない距離にシュー７８が置かれた第２アームの第２の位置とにそれぞれ関連付けられる。
【００４８】
所定の距離は、第２のアーム２２に応力が加わっていない場合に、第２のアーム７８が選択した場所に配置されるように、第２のアーム２２の構成および寸法を設定することによって得ることができる。
【００４９】
特に、シュー７８がベース１４に当接して、より具体的には、支持板４２およびリム４４に当接して配置される場合に、所定の距離条件を満たすことが好ましく、これら支持板４２およびリム４４の寸法は、製造中に、使用すべきヒゲゼンマイ１の寸法に適合されることが好ましい。したがって、第２アーム２２は、静置時にプレストレスを有するような構成および寸法とされていると有利であり、これによって、シュー７８は、ベース１４に当接して配置され、衝撃を受けた際にも、ヒゲゼンマイを常用位置に保持することを確実にする。次いで、所定の距離は、支持面４０から測定した支持板４２およびリム４４の幅によって規定される。
【００５０】
したがって、第２のアーム２２がその第１の位置にある際に、支持面４０、支持板４２、リム４４およびシュー７８は、ヒゲゼンマイのための、長方形断面を有する密閉ハウジングを画定する。
【００５１】
一般的には、シュー７８は、支持面４０から所定の距離に位置している場合には、所望の効果に応じて、本発明の範囲を逸脱することなく、終末曲線８に当接して配置されており、あるいは、これらの間にわずかな隙間を残すことができる。
【００５２】
偏心器８４がその第２の構成にある場合、例えば、係止部材を無効にして、ベース１４に対して終末曲線８を平行移動させ、ヒゲゼンマイ１の有効長の調節することができる。
【００５３】
非限定的な例示として示された好ましい実施形態の特定の場合には、係止部材５２は、回動可能なようにその支持体（組立プレート６２）に配置されている。したがって、偏心器８４がその第２の構成にある場合、ヒゲゼンマイの有効長さを短くするには、図６において係止部材を反時計回りに回転させ、または、有効長さを長くするには時計回りに回転させれば十分である。
【００５４】
これによって、係止部材５２は、ローレットローラ機能を果たすが、前述したように、それがどのように構築されるかを考えれば、ヒゲゼンマイ１への損傷を引き起こすことはない。
【００５５】
また、前述の説明は、対応する時計仕掛けの機構部分へのヒゲゼンマイ１の配置が、装置１２の特徴により簡略化されていることを示している。実際に、偏心器８４がその第２の構成にある場合、ヒゲゼンマイ１の終末曲線８を、支持面４０に対して配置されるように、単純に支持板４２上に置くことができ、第１のアーム２０は弾性変形により分離されて、係止部材５２と支持面４０との間の、ヒゲゼンマイ１の通路を解放する。
【００５６】
終末曲線８が常用位置に向けて配置されると、第１のアーム２０が解放され、支持面４０に対してヒゲゼンマイ１を押すことにより、係止部材５２をその機能を実行させることができる。
【００５７】
テンプ受け６に対してベース１４を回転させることにより、時計を振動させることができる。
【００５８】
次いで、偏心器８４を回転させ切り取り部の一方をベース１４に対向させて配置することにより、第２のアーム２２を解放する前に、係止部材５２を一方向または他方向に回転させることによって、ヒゲゼンマイ１の有効長さを調整することができる。シュー７８は、その後、支持面４０から所定の距離に配置され、ヒゲゼンマイ付テンプが動作する状態となる。
【００５９】
上記したヒゲゼンマイを組み立ておよび調整するための装置の構成により、組み立てが容易で、信頼性があり、かつ、ヒゲゼンマイ付テンプの調整を非常に容易に実施する可能性を提供する装置が得られる。特に、測時品質を損なう可能性のある損傷を与えることなく、ヒゲゼンマイの配置または調整を行うことができることに留意されたい。さらに、本発明に従う装置では、ヒゲゼンマイを解放するために第２のアームを分離し、その後所定の位置に戻した場合には、シューを支持面から離間している距離は、構成により正確に遵守される。
【００６０】
前述の記載は、非限定的な例示としての特定の一実施形態を説明することに努めているものであり、本発明は、組み立て調整装置のベースおよびアーム、ならびに制御部材（ここでは偏心器８４）および係止部材に対して図示および説明した形状等の、前述の特定の具体的な特徴に限定されない。本発明の範囲を逸脱することなく、多くの変形実施形態を検討することができる。具体的には、係止部材の構造および動作モードを、本発明の範囲を逸脱することなく、当業者が自身のニーズに基づいて変更することができる。
【００６１】
一変形例によれば、例えば、第２のアームと同様に、第１のアーム上に制御部材を設け、ベースと協働して、装置内へのヒゲゼンマイの配置をさらに容易にすることができる。
【図１】
0006650922.tif 000002
【図２】
0006650922.tif 000003
【図３】
0006650922.tif 000004
【図４】
0006650922.tif 000005
【図５】
0006650922.tif 000006
【図６】
0006650922.tif 000007